(57)【特許請求の範囲】
【請求項１】
遊技領域を構成する遊技盤と、
基盤ボックスに収容され、遊技者に対して特定の遊技価値を付与可能な特別遊技状態を発生させる等の遊技制御を司る遊技制御基盤と、
前記遊技盤の遊技領域に設けられ、受け入れた遊技球を前記遊技盤の裏側へと流下させる特定入賞装置と、
前記特定入賞装置に受け入れられた遊技球を検出して、前記特別遊技状態の発生要因となりえる信号を前記遊技制御基盤へ入力可能な特定入賞球検出手段と、
前記特定入賞球検出手段の遊技球の検出に基づき、前記遊技制御基盤から送出される制御信号によって図柄の可変表示遊技を行う可変表示装置と、
前記遊技盤の裏側に取り付けられた入賞球集合カバーと、
前記遊技盤の裏面と、前記入賞球集合カバーとによって形成され、前記特定入賞装置に受け入れられた遊技球を前記特定入賞球検出手段へ流下案内する案内路と、
を備えた弾球遊技機において、
前記基盤ボックスは、前記入賞球集合カバーの背面に取り付けられると共に、ベース部材と蓋部材とから構成されて、前記特定入賞球検出手段を当該基盤ボックスの外側からは取り外し不能に収納し、
前記ベース部材は、前記特定入賞球検出手段を収納する検出手段設置部を外方に突出させ、
前記入賞球集合カバーは、前記検出手段設置部を前記案内路に挿入する挿入部を備え、
前記検出手段設置部の突端側を前記遊技盤に埋設したことを特徴とする弾球遊技機。
【発明の詳細な説明】
【０００１】
【発明の属する技術分野】
この発明は、遊技領域を構成する遊技盤と、基盤ボックスに収容され、遊技者に対して特定の遊技価値を付与可能な特別遊技状態を発生させる等の遊技制御を司る遊技制御基盤と、該遊技盤の遊技領域に設けられ、受け入れた遊技球を遊技盤の裏側へと流下させる特定入賞装置と、該特定入賞装置に受け入れられた遊技球を検出して、特別遊技状態の発生要因となりえる信号を遊技制御基盤へ入力可能な特定入賞球検出手段と、該特定入賞球検出手段の遊技球の検出に基づき、遊技制御基盤から送出される制御信号によって図柄の可変表示遊技を行う可変表示装置と、遊技盤の裏側に取り付けられた入賞球集合カバーと、遊技盤の裏面と、入賞球集合カバーとによって形成され、特定入賞装置に受け入れられた遊技球を特定入賞球検出手段へ流下案内する案内路と、を備えた弾球遊技機に関する。
【０００２】
【従来の技術】
パチンコ遊技機等の弾球遊技機は、遊技領域のほぼ中央に配置された可変表示装置において行われる可変表示ゲームによって、遊技の興趣が高められるようになっている。
この可変表示ゲームは、遊技領域に設けられた始動口（特定入賞装置）に遊技球が入賞することにより、可変表示装置の図柄が変動開始される。そして、所定時間経過後、停止した図柄が、特定の図柄（例えば、「７，７，７」のゾロ目等）である場合には、大当たり（特別遊技状態）として、変動入賞装置の開放等により、遊技者に対して所定の遊技価値（入賞球に対する所要数の賞球）が付与される。
このような可変表示ゲームは、遊技盤裏面などに配設されている役物制御基盤などの遊技制御基盤によって制御されている。
しかし、この役物制御基盤が設置されている弾球遊技機の内部は、金属製の遊技球が循環しているため、ノイズが発生し易く、このようなノイズ等が原因で、役物制御基盤のＣＰＵが暴走する危険性があった。
そこで、このような役物制御基盤のＣＰＵの暴走を防止するために、２ミリ秒程度の極めて短い一定時間毎に、ＣＰＵに対してリセット割込処理が行われている。従って、万一、ＣＰＵが暴走したとしても、一定時間経過後（２ミリ秒以内）には、ＣＰＵは必ずリセットされ、プログラムの初期番地から再び処理を実行するため、ＣＰＵの暴走に伴う不都合を最小限に抑えることができる。
そして、このように一定時間（例えば、２ミリ秒）毎に繰り返し行われるリセット割込処理を利用して、大当たりの発生を決定する乱数値の更新処理が、ＣＰＵによって行われている。
この更新処理において、乱数値は、前記リセット割込処理毎に、「＋１」宛インクリメントされ、予め定められた上限値（例えば、「２９９」）に達したところで「０」に戻されるようになっている。
このように更新される乱数値は、遊技領域の始動口へ遊技球が入賞したタイミング等で抽出され、そのときに取得した乱数値が所定値（例えば「７」）である場合には、大当たり（特別遊技状態）が発生される。
この乱数値は、その上限値が、例えば、「２９９」である場合、３００回のリセット信号の割込により、数値（０〜２９９までの整数値）が一周して元の数値に戻る。
従って、乱数値が所定値（例えば「７」）を維持している時間を「大当たり発生可能時間」、乱数値が１周するまでに要する時間を「全体の時間」とすると、この場合、「大当たりの発生可能時間」は２ミリ秒、「全体の時間」は６００ミリ秒となり、「全体の時間」に対する「大当たり発生可能時間」が１／３００となる。つまり、この場合の大当たり発生確率は、１／３００となる。
このように一定時間（例えば、２ミリ秒）毎に変化する乱数値に基づいて、大当たりの発生が決定されるため、大当たりの発生に際して偶発的な確率的要素が盛り込まれ、遊技者に対する遊技の興趣が常に維持されるようになっている。
【０００３】
【発明が解決しようとする課題】
上記のような弾球遊技機には、遊技領域の始動口（特定入賞装置）に入賞した遊技球を検出するセンサ（特定入賞球検出手段）が設けられていて、このセンサはリード線を介して役物制御基盤（遊技制御基盤）と接続されている。
最近、このセンサと役物制御基盤とを接続するリード線の途中（又は役物制御基盤上）に、特殊な基盤（ぶら下がり基盤ともいう）を取り付けることにより、役物制御基盤に送出される信号を操作して、不当に利益を得るといった不正行為が発生している。
これは、前述の大当たり発生の決定に用いられる乱数値が、周期的に変化することを悪用したものである。不正行為に用いられる特殊な基盤（ぶら下がり基盤）には、役物制御基盤に書き込まれているプログラムの解析機能や、ＣＰＵの立ち上がりのタイミングを検出する機能などが設けられていて、大当たりが発生するタイミング（前述の「大当たり発生可能時間」）で入賞球の検出信号を役物制御基盤に対して送出することができるようになっている。
このような不正行為によって、本来の大当たり発生確率とは関係なく、大当たりやハズレを自由に発生させることができ、それにより、遊技店は多大な被害を被っていた。
【０００４】
この発明は、上記のような問題点を解決するためになされたもので、遊技制御基盤と、始動口（特定入賞装置）に入賞した遊技球を検出するセンサ（特定入賞球検出手段）との間に、不正な基盤等の取り付けを防止することが可能な弾球遊技機を提供することを目的とする。
【０００５】
【課題を解決するための手段】
上記課題を解決するため、請求項１記載の弾球遊技機は、遊技領域を構成する遊技盤と、
基盤ボックスに収容され、遊技者に対して特定の遊技価値を付与可能な特別遊技状態を発生させる等の遊技制御を司る遊技制御基盤と、
前記遊技盤の遊技領域に設けられ、受け入れた遊技球を前記遊技盤の裏側へと流下させる特定入賞装置と、
前記特定入賞装置に受け入れられた遊技球を検出して、前記特別遊技状態の発生要因となりえる信号を前記遊技制御基盤へ入力可能な特定入賞球検出手段と、
前記特定入賞球検出手段の遊技球の検出に基づき、前記遊技制御基盤から送出される制御信号によって図柄の可変表示遊技を行う可変表示装置と、
前記遊技盤の裏側に取り付けられた入賞球集合カバーと、
前記遊技盤の裏面と、前記入賞球集合カバーとによって形成され、前記特定入賞装置に受け入れられた遊技球を前記特定入賞球検出手段へ流下案内する案内路と、
を備えた弾球遊技機において、
前記基盤ボックスは、前記入賞球集合カバーの背面に取り付けられると共に、ベース部材と蓋部材とから構成されて、前記特定入賞球検出手段を当該基盤ボックスの外側からは取り外し不能に収納し、
前記ベース部材は、前記特定入賞球検出手段を収納する検出手段設置部を外方に突出させ、
前記入賞球集合カバーは、前記検出手段設置部を前記案内路に挿入する挿入部を備え、
前記検出手段設置部の突端側を前記遊技盤に埋設した構成とした。
【０００６】
この請求項１記載の発明によれば、遊技制御基盤を収容する基盤ボックスは、入賞球集合カバーの背面に取り付けられると共に、ベース部材と蓋部材とから構成されて、特定入賞球検出手段を当該基盤ボックスの外側からは取り外し不能に収納し、前記ベース部材は、前記特定入賞球検出手段を収納する検出手段設置部を外方に突出させ、前記入賞球集合カバーは、前記検出手段設置部を前記案内路に挿入する挿入部を備え、前記検出手段設置部の突端側を前記遊技盤に埋設したので、特定入賞球検出手段から遊技制御基盤へ出力される信号を不正操作されることが、非常に困難となる。
【０００７】
ここで、弾球遊技機は、遊技球を弾いて遊技を行う遊技機で、例えば、パチンコ遊技機、パチコン遊技機、アレンジボール遊技機、或いは、雀球遊技機などが挙げられる。
特別遊技状態とは、通常遊技時に比べて遊技者に有利となる遊技状態（多数の遊技球などの遊技媒体を獲得し易い状態）をいい、例えば、第１種のパチンコ遊技機における大入賞口（特別変動入賞装置）の開放、第３種のパチンコ遊技機における権利発生の状態、或いは電動役物を複数備えた一般電役機における電動役物を連続して開放させる状態などがある。
特定入賞装置には、例えば、第１種のパチンコ遊技機における特図始動口、普図始動口、或いは通過ゲートなどが含まれる。
【００１５】
【発明の実施の形態】
以下、この発明の実施の形態について、図１〜図８の図面を参照しながら説明する。
【００１６】
［第１の実施の形態］
図１は、この発明の第１の実施の形態の弾球遊技機として例示するパチンコ遊技機の遊技盤を示す正面図である。
【００１７】
この実施の形態のパチンコ遊技機は、内部の遊技領域（後述）内に遊技球を発射して遊技を行うもので、遊技盤１のガイドレール２で囲まれた遊技領域１ａには、特定入賞装置として例示する特図始動口９、該特図始動口９への入賞に基づいて特図可変表示遊技を行う可変表示装置４、特図可変表示遊技の結果如何によって大入賞口５ａを開放するサイクル遊技を行う特別変動入賞装置５、一般入賞口８，…、風車と呼ばれる方向変換部材１０，…、ランプを備えた方向変換部材１１，１１、装飾ランプ１２，１２などが配設されている。遊技領域１ａの最下端部中央にはアウト球を回収するためのアウト穴１３が設けられている。
【００１８】
図２は遊技盤の裏面を示す分解斜視図、図３は遊技盤に設置される役物制御回路ユニットを示す分解斜視図である。図４は役物制御回路ユニットの基盤ボックスに設けられた図柄始動スイッチ収納部及び図柄始動スイッチを示す斜視図、図５（ａ）は基盤ボックスに設けられた封止手段の一例としての封止部材を示す断面図、図５（ｂ）は封止部材の接合に用いるワンウェイネジのネジ頭を示す平面図である。また、図６は役物制御回路ユニットの遊技盤への取付構造を示す断面図である。
【００１９】
遊技盤１の裏側には、図２に示すように、その中央開口部（図に現れない）を避けた状態で、各入賞装置（特図始動口９、特別変動入賞装置５、一般入賞口８，…）に入賞した入賞球（セーフ球）を、賞球排出のために処理するセーフユニット（図示省略）へ流下案内する入賞球集合カバー１２０が取り付けられている。
また、この遊技盤１の中央開口部には、可変表示装置４がその後端部を後方に突出させた状態に設置され、該可変表示装置４の背部には、役物制御系統の中継基盤１１０が配設されている。
また、入賞球集合カバー１２０の背面左側には、遊技系統の制御を司る遊技制御基盤としての役物制御回路基盤５０を備えた役物制御回路ユニット２００Ａが設置されている。
この状態で、入賞球集合カバー１２０の左側下端部に形成された図柄始動スイッチ挿入部１２１中に、役物制御回路ユニット２００Ａの底面から前方に突出した検出手段設置部としての図柄始動スイッチ収納部３２に特定入賞球検出手段としての図柄始動スイッチ４０が挿入された状態となっている。この図柄始動スイッチ挿入部１２１の内部空間には、特図始動口９に入賞した入賞球を流下端部１２４へ流下させる案内路９０（図６）が、上下方向に形成されている。
【００２０】
役物制御回路ユニット２００Ａは、図３に示すように、遊技制御基盤として例示する役物制御回路基盤５０と、特図始動口９（図１）に入賞した入賞球を検出する特定入賞球検出手段としての図柄始動スイッチ４０と、これら役物制御回路基盤５０及び図柄始動スイッチ４０を収容する基盤ボックス２０とから構成されている。
基盤ボックス２０は、それぞれ透明材（例えば、樹脂材）により形成された平板状のベース部材２０Ｂと、有底箱型形状の蓋部材２０Ａとから構成され、その内部に収容された役物制御回路基盤５０に備わる各種電子部品５５，…を外圧やノイズから保護している。
ベース部材２０Ｂの左右両端には、ネジ穴３９ｂ，…を有する底側封止部材３９，…（図５（ａ））が設けられるとともに、当該基盤ボックス２０をワンタッチ形式で遊技盤１背面に固定可能な保持部材（ナイラッチ）３８が取り付けられている。これら保持部材（ナイラッチ）３８の先端が、遊技盤１及び入賞球集合カバー１２０の保持穴１２２ａ，１２２ａ，１２３ａ中に挿入されて係合固定されるようになっている。
また、ベース部材２０Ｂの底面の下端側（図３、図４）には、図柄始動スイッチ４０を設置するための図柄始動スイッチ収納部３２が、ベース部材２０Ｂの底面より外方（遊技盤１側）に突出した状態に設けられている。
【００２１】
図柄始動スイッチ収納部３２の内部には、図４に示すように、図柄始動スイッチ４０を収納する収納空間３２ａが形成されている。ベース部材２０Ｂの底面上には、図３及び図４に示すように、図柄始動スイッチ４０の挿入口となる開口部３２ｂが形成されている。
この図柄始動スイッチ収納部３２中の一端側側壁部には、図柄始動スイッチ４０を収納した状態において、図柄始動スイッチ４０の通過孔４１（後述）を基盤ボックス２０の外部に露出させる切欠部３１が形成されている。
また、図柄始動スイッチ収納部３２の開口部３２ｂ中の他端側には、係合片３３が、ベース部材２０Ｂの底面より上方に突出した状態に設けられている。この係合片３３は、図柄始動スイッチ４０を収納空間３２ａに収容した状態で、図柄始動スイッチ４０の一側面４３と係合して、その状態を保持するようになっている。
【００２２】
図柄始動スイッチ４０は、特図始動口９に入賞した入賞球を検出するためのもので、その一端側には、入賞球を通過させて検出するための通過孔４１が形成されている。他端側には、接合基盤４４を介してリード線４２，４２が取り付けられている。
この図柄始動スイッチ４０は、図２及び図３に示すように、そのリード線４２，４２が役物制御回路基盤５０のコネクタ５３（後述）に接続された状態で、図柄始動スイッチ収納部３２の収納空間３２ａに収納され、その収納された状態で通過孔４１が切欠部３１を介して外部に露出した状態となっている。この収納された状態で、図柄始動スイッチ４０は、その一側面４３が、係合片３３に係止されている。
【００２３】
蓋部材２０Ａは、図３に示すごとく、縦方向（長手方向）の長さが、ベース部材２０Ｂと比べ短く形成されている。そして、この蓋部材２０Ａがベース部材２０Ｂに固定された状態において、役物制御回路基盤５０の一端側に備わる複数のコネクタ５１，…が外部に露出するようになっている。この蓋部材２０Ａの一端側の側壁部には、多数の放熱孔２１，…が形成されている。
また、この蓋部材２０Ａには、図３に示すように、ベース部材２０Ｂの底側封止部材３９，…と対応した状態で、ネジ通し穴２９ｂ，…を有する蓋側封止部材２９，…（図５（ａ））が設けられている。
【００２４】
役物制御回路基盤５０は、マイクロプロセッサー（ＲＡＭ内蔵ＣＰＵ、ＲＯＭ）などの各種電子部品５５，…を備え、一端側には、各種コネクタ５１，…を備えている。また、役物制御回路基盤５０は、電子部品５５，…とコネクタ５１，…の間に、図柄始動スイッチ４０からのリード線（信号線）４２，４２を接続するためのコネクタ５３を備えている。また、役物制御回路基盤５０の縁部には、リード線４２，４２を基盤の表面側から背面側へ通すための切欠部５２が形成されている。
【００２５】
役物制御回路基盤５０は、ＣＰＵ（Central Processing Unit）、ＲＡＭ（Random Access Memory）およびＲＯＭ（Read Only Memory）、クロック生成回路、Ｉ／Ｏインターフェース等を備えている。
この役物制御回路基盤５０は、図柄始動スイッチ４０からの検出に基づき、ＣＰＵで生成される所定の乱数値の抽出を行う。乱数値はクロック生成回路からのクロック信号に基づき、一定時間（例えば、２ミリ秒）毎に更新され、一定周期（例えば、６００ミリ秒）で同じ数値に戻るようになっている。その抽出した乱数値から大当たりの発生を判定し、その判定結果に基づいて、可変表示装置４に制御信号を送出し、可変表示遊技（図柄の回転表示）を行わせる。
ここで、乱数値が大当たりと判定される場合には、可変表示装置４による可変表示を所定の停止態様（例えば、「７，７，７」などのゾロ目）で停止させ、特別変動入賞装置５などの関係装置に制御信号を送って、予め定められた条件の下で周期的な開放動作を行わせる。
例えば、特別変動入賞装置５の開閉扉が所定時間開くことを１サイクル（その間に所定個数の球が入賞したときにはその時点までを１サイクル）とし、各サイクル遊技中その内部の所定箇所に球が入賞することを条件に所定の最大継続回数までそのサイクルが継続される遊技（特別遊技状態、サイクル遊技）が行われる。
そして、このサイクル遊技の結果、役物制御回路基盤５０に、セーフユニット（図示省略）からの入賞球（セーフ球）の検出信号が入力されると、この入力信号に基づいて、球排出機構（図示省略）に排出指令信号が送られ、遊技者に対する所要数の賞球の排出が行われる。
【００２６】
この役物制御回路基盤５０は、図３に示すように、図柄始動スイッチ４０を図柄始動スイッチ収納部３２の収納空間３２ａに収納した状態で、ベース部材２０Ｂの取付穴３７，…から、該役物制御回路基盤５０の取付穴５７，…を介して、蓋部材２０Ａの取付支柱２７，…へ向けてビス１７，…を通すことによって、基盤ボックス２０内に収納されて固定されている。
そして、図５（ａ）に示すように、蓋部材２０Ａの蓋側封止部材２９，…の凸部２９ａ，…をベース部材２０Ｂの底側封止部材３９，…の凹部３９ａ，…に嵌入させた状態で、蓋部材２０Ａの両側端部の各１つ宛の蓋側封止部材２９，２９のネジ通し穴２９ｂ，２９ｂから、ベース部材２０Ｂ側の対応する底側封止部材３９，３９のネジ穴３９ｂ，３９ｂ中にワンウェイネジ１８，１８を通すことによって、固定されている。その結果、それら封止部材３９，３９、２９，２９を切断などして傷痕を残さない限り、容易には基盤ボックス２０が開かないようになっている。
【００２７】
上記のワンウェイネジ１８は、図５（ｂ）に示すように、そのネジ頭１９に、ドライバーの先端を係止可能な一組の係合突部１９ａと、ドライバーの先端を係止不能な切欠部１９ｂとが周回方向にそれぞれ交互に形成され、ドライバーで回転させることができる方向を一方向（ネジの締結方向）に制限するようになっている。つまり、ワンウェイネジ１８は、一度ねじ込まれたら、取り外すことができない（逆に回すことができない）ようになっている。
【００２８】
このように、基盤ボックス２０が、蓋部材２０Ａとベース部材２０Ｂとをビス１７，…により固定して開かないようにされるとともに、蓋側封止部材２９，２９側から底側封止部材３９，３９側にワンウェイネジ１８，１８を通して固定されているので、役物制御回路基盤５０及び図柄始動スイッチ４０に容易には不正な改造を加えることはできない。
この基盤ボックス２０を開口したい場合には、ワンウェイネジ１８，１８がネジ込まれた封止部材３９，３９、２９，２９を基盤ボックス２０から切り離し、ビス１７，…を取り外さない限り、基盤ボックス２０は開けられない。つまり、基盤ボックス２０を開ければ、必ず、封止部材３９，３９、２９，２９が切り放されて傷痕が残るので、残った封止部材３９，…、２９，…の数を数えれば、基盤ボックス２０を何回開けたかが直ぐに分かる。
この基盤ボックス２０を閉じた状態に固定できる回数は、封止部材３９，…、２９，…の形成数量に応じて、限られたものとなる。この実施の形態では、封止部材３９，…、２９，…の形成数量が、左右両端部で、それぞれ、４個なので、４回限りである。
また、上記の封止手段以外に、例えば、封印シール等を用いて、基盤ボックス２０を封印するようにしてもよい。
【００２９】
このように構成された役物制御回路ユニット２００Ａは、図２に示すように、その基盤ボックス２０の底面部から突出した図柄始動スイッチ収納部３２に収容された図柄始動スイッチ４０を図柄始動スイッチ挿入部１２１に挿入させた状態で、左右両端の保持部材（ナイラッチ）３８，…を、遊技盤１及び入賞球集合カバー１２０の保持穴１２２ａ，１２２ａ，１２３ａへ向けて押圧して挿入することにより、保持部材３８，…が保持穴１２２ａ，１２２ａ，１２３ａに係合して、遊技盤１の背面に固定された状態となっている。
【００３０】
この状態で、図柄始動スイッチ４０は、図６に示すように、その通過孔４１の内周面が、入賞球集合カバー１２０内部の案内路９０の内壁面と連続した状態となっている。そして、特図始動口９より入賞した入賞球Ｍが、遊技盤１背面の案内路９０を流下する過程で、図柄始動スイッチ４０の通過孔４１を通過するようになっている。
この通過孔４１を通過した入賞球Ｍは、図柄始動スイッチ４０に検出され、そのまま案内路９０を流下して、セーフユニット（図示省略）へと流下案内されていく。
【００３１】
この第１の実施の形態のパチンコ遊技機によれば、大当たり（特別遊技状態）の発生要因となりえる信号を役物制御回路基盤５０へ出力する図柄始動スイッチ４０（リード線４２，４２の部分も含む）が、役物制御回路基盤５０とともに基盤ボックス２０の内部に収納され、基盤ボックス２０を開放しない限り、図柄始動スイッチ４０を基盤ボックス２０から分離できない構成としたため、例えば、リード線４２，４２や役物制御回路基盤５０に特殊な基盤（ぶら下がり基盤）を取り付け、図柄始動スイッチ４０から役物制御回路基盤５０へ出力される信号を操作するような不正行為を行うことが困難となる。
【００３２】
なお、この実施の形態では、リード線４２，４２と役物制御回路基盤５０とをコネクタ５３を介して接続するとしたが、例えば、半田付け等により取り外し不能な状態に接続するようにしてもよい。
【００３３】
［第２の実施の形態］
第１の実施の形態では、入賞球集合カバー１２０の案内路９０を流下する過程において、特図始動口９に入賞した入賞球Ｍを検出するようにしたが、第２の実施の形態では、基盤ボックス２０の内部に形成された連絡通路１４１に入賞球Ｍを流入させ、連絡通路１４１を流下する過程において、入賞球Ｍを検出するようにしている。
この第２の実施の形態の特有の部分以外は、上記第１の実施の形態におけると同様である。
この第２の実施の形態において、前述の第１の実施の形態と同一部分には同一符号を付し、その説明を省略する。
【００３４】
図７は、第２の実施の形態のパチンコ遊技機に備わる役物制御回路ユニットの遊技盤への取付構造を示す断面図である。
【００３５】
役物制御回路ユニット２００Ａは、図７に示すように、その連絡通路１４１（後述）が、入賞球集合カバー１２０の案内路９１（後述）と連通した状態で、入賞球集合カバー１２０の背面に取り付けられている。
【００３６】
この実施の形態において、入賞球集合カバー１２０の内部には、特図始動口９に入賞した入賞球Ｍを、入賞球集合カバー１２０の背面に形成される流出口９１ａへと流下案内させる案内路９１が設けられている。
【００３７】
そして、役物制御回路ユニット２００Ａは、各種電子部品５５，…を備えた役物制御回路基盤５０と、入賞球Ｍを検出する図柄始動スイッチ４０と、これら役物制御回路基盤５０及び図柄始動スイッチ４０を収容する基盤ボックス１４０とから構成されている。
【００３８】
基盤ボックス１４０は、それぞれ透明材（例えば、樹脂材）により有底箱型形状に形成されたベース部材１４０Ｂと、蓋部材１４０Ａ（蓋部材２０Ａと同一）とから構成されている。
ベース部材１４０Ｂは、その底面と役物制御回路基盤５０との間に所定の空間が形成されていて、底面の案内路９１の流出口９１ａと対向する位置に、流出口９１ａより流出した入賞球Ｍを受け入れる受入口１４１ａが形成され、下端側の側面に、外部（セーフユニットへの流入口）へ入賞球Ｍを排出する排出口１４２が形成されている。そして、ベース部材１４０Ｂの底部に形成される前述の空間には、受入口１４１ａより流入した入賞球Ｍを排出口１４２へと流下案内する連絡通路１４１が形成されている。
この連絡通路１４１の下流側には、図柄始動スイッチ４０を設置するための検出手段設置部としての図柄始動スイッチ設置部１４３が設けられている。
また、このベース部材１４０Ｂには、第１の実施の形態で示したベース部材２０Ｂと同様に、底側封止部材３９，…、保持部材３８（ナイラッチ）、などが同位置に設けられている。
【００３９】
図柄始動スイッチ４０は、一端が、役物制御回路基盤５０の背面側に固着され、他端が、連絡通路１４１の内壁面に形成される凹部１４３ａに嵌入した状態で、図柄始動スイッチ設置部１４３に設置されている。
このとき、通過孔４１の内周面が、連絡通路１４１の内壁面と連続した状態に図柄始動スイッチ４０が組み込まれるため、受入口１４１ａより流入した入賞球Ｍは、連絡通路１４１を流下する途中で、図柄始動スイッチ４０の通過孔４１を通過することとなる。
【００４０】
このように、役物制御回路ユニット２００Ａ及び入賞球集合カバー１２０が構成されるため、図７に示すように、特図始動口９に入賞した入賞球Ｍは、入賞球集合カバー１２０の案内路９１によって流出口９１ａへと流下され、受入口１４１ａから、役物制御回路ユニット２００Ａの連絡通路１４１へと流入する。連絡通路１４１に流入した入賞球Ｍは、連絡通路１４１を流下する途中で図柄始動スイッチ４０の通過孔４１を通過し、図柄始動スイッチ４０に検出されてから、排出口１４２より排出され、セーフユニット（図示省略）へと流下案内されていく。
【００４１】
この第２の実施の形態のパチンコ遊技機によれば、役物制御回路基盤５０とともに基盤ボックス１４０の内部に収容される図柄始動スイッチ４０によって、基盤ボックス１４０内の連絡通路１４１を流下する入賞球Ｍの検出が行われるため、図柄始動スイッチ４０から役物制御回路基盤５０へ出力される信号を不正操作することが、非常に困難となる。
【００４２】
［第３の実施の形態］
第１の実施の形態では、入賞球集合カバー１２０の案内路９０に組み込んだ図柄始動スイッチ４０によって、案内路９０を流下する入賞球Ｍを検出するようにしたが、第３の実施の形態では、入賞球集合カバー１２０の外側に配した特定入賞球検出手段としての図柄始動スイッチ（例えば、磁気センサ等）１５５によって、案内路９０を流下する入賞球Ｍを検出するようにしている。
この第３の実施の形態の特有の部分以外は、前述の第１の実施の形態におけると同様である。
この第３の実施の形態において、前述の第１の実施の形態と同一部分には同一符号を付し、その説明を省略する。
【００４３】
図８は、第３の実施の形態のパチンコ遊技機に備わる役物制御回路ユニットの遊技盤への取付構造を示す断面図である。
【００４４】
役物制御回路ユニット２００Ａは、図８に示すように、入賞球集合カバー１２０の内部に形成されている案内路９０の背面に取り付けられている。
【００４５】
この実施の形態において、役物制御回路ユニット２００Ａは、各種電子部品５５，…を備えた役物制御回路基盤５０と、入賞球Ｍを検出する図柄始動スイッチ（磁気センサ）１５５と、これら役物制御回路基盤５０及び図柄始動スイッチ１５５を収容する基盤ボックス１５０とから構成されている。
【００４６】
基盤ボックス１５０は、それぞれ透明材（例えば、樹脂材）により形成された平板状のベース部材１５０Ｂと、有底箱型形状の蓋部材１５０Ａ（蓋部材２０Ａと同一）とから構成されている。
この実施の形態のベース部材１５０Ｂは、第１の実施の形態のベース部材２０Ｂのような突出部分はなく、底面が平らな状態となっている。
このベース部材１５０Ｂには、第１の実施の形態で示したベース部材２０Ｂと同様に、底側封止部材３９，…、保持部材３８（ナイラッチ）、などが同位置に設けられている。
【００４７】
図柄始動スイッチ１５５は、図８に示すように、ベース部材１５０Ｂ及び入賞球集合カバー１２０を隔てて案内路９０と対向する位置に、役物制御回路基盤５０の裏面に固着された状態で設置されている。
この図柄始動スイッチ１５５は、金属を検出する磁気センサ等により構成され、ベース部材１５０Ｂの底面及び入賞球集合カバー１２０の背面に隔てられた状態においても、前方の案内路９０を流下する金属製の入賞球Ｍを検出することができるようになっている。
【００４８】
このように、役物制御回路ユニット２００Ａが構成されるため、図８に示すように、特図始動口９に入賞した入賞球Ｍは、遊技盤１の裏面側に案内されてから、入賞球集合カバー１２０の案内路９０を流下し、流下する過程で、ベース部材１５０Ｂ及び入賞球集合カバー１２０を隔てて後方に位置する図柄始動スイッチ１５５（磁気センサ）により検出される。検出された入賞球Ｍは、そのまま案内路９０を流下して、セーフユニット（図示省略）へと流下案内されていく。
【００４９】
この第３の実施の形態のパチンコ遊技機によれば、大当たり（特別遊技状態）の発生要因となりえる信号を役物制御回路基盤５０へ出力する図柄始動スイッチ１５５（そのリード線も含む）が、役物制御回路基盤５０とともに基盤ボックス１５０の内部に収納され、基盤ボックス１５０を開放しない限り、図柄始動スイッチ１５５を基盤ボックス１５０から分離できない構成としたため、例えば、特殊な基盤（ぶら下がり基盤）を取り付け、図柄始動スイッチ１５５から役物制御回路基盤５０へ出力される信号を操作するような不正行為を行うことが困難となる。
【００５０】
なお、本発明は、この実施の形態のパチンコ遊技機に限られるものではなく、例えば、他の種類のパチンコ遊技機、パチコン遊技機、アレンジボール遊技機、雀球遊技機などの弾球遊技機において適用可能である。
【００５１】
【発明の効果】
請求項１記載の発明によれば、遊技制御基盤を収容する基盤ボックスは、入賞球集合カバーの背面に取り付けられると共に、ベース部材と蓋部材とから構成されて、特定入賞球検出手段を当該基盤ボックスの外側からは取り外し不能に収納し、前記ベース部材は、前記特定入賞球検出手段を収納する検出手段設置部を外方に突出させ、前記入賞球集合カバーは、前記検出手段設置部を前記案内路に挿入する挿入部を備え、前記検出手段設置部の突端側を前記遊技盤に埋設したので、特定入賞球検出手段から遊技制御基盤へ出力される信号を不正操作されることが、非常に困難となる。
【図面の簡単な説明】
【図１】この発明の第１の実施の形態の弾球遊技機として例示するパチンコ遊技機の遊技盤を示す正面図である。
【図２】遊技盤の裏面を示す分解斜視図である。
【図３】遊技盤に設置される役物制御回路ユニットを示す分解斜視図である。
【図４】役物制御回路ユニットの基盤ボックスに設けられた図柄始動スイッチ収納部及び図柄始動スイッチを示す斜視図である。
【図５】（ａ）は基盤ボックスに設けられた封止部材を示す断面図、（ｂ）は封止部材の接合に用いるワンウェイネジのネジ頭を示す平面図である。
【図６】役物制御回路ユニットの遊技盤への取付構造を示す断面図である。
【図７】第２の実施の形態のパチンコ遊技機に備わる役物制御回路ユニットの遊技盤への取付構造を示す断面図である。
【図８】第３の実施の形態のパチンコ遊技機に備わる役物制御回路ユニットの遊技盤への取付構造を示す断面図である。
【符号の説明】
１        遊技盤
１ａ      遊技領域
４        可変表示装置
９        特図始動口（特定入賞装置）
４０      図柄始動スイッチ（特定入賞球検出手段）
５０      役物制御回路基盤（遊技制御基盤）
２０      基盤ボックス
２０Ａ    蓋部材
２０Ｂ    ベース部材
３２      図柄始動スイッチ設置部（検出手段設置部）
９０      案内路
１２０    入賞球集合カバー
１２１    図柄始動スイッチ挿入部（挿入部）
【図１】
0003913344.tif 000002
【図２】
0003913344.tif 000003
【図３】
0003913344.tif 000004
【図４】
0003913344.tif 000005
【図５】
0003913344.tif 000006
【図６】
0003913344.tif 000007
【図７】
0003913344.tif 000008
【図８】
0003913344.tif 000009